(57)【要約】【課題】光ディスク駆動装置のピックアップ内部のミラーに付着・堆積した塵埃を、分解掃除を必要とせずに簡単に除去するためのクリーニング機構を提供する。【解決手段】光ピックアップ３０を、回転駆動部２０に装着された光ディスク１の外周部よりも外側のクリーニング位置へ平行移動させることができる送り機構４０を設ける。また、光ピックアップ３０のハウジング３５にはクリーニング部材５０が挿入される開口部３５ｂを設ける。送り機構４０によって光ピックアップ３０がクリーニング位置に移動すると、開口部３５ｂに対応してシャーシ１０に固定されているクリーニング部材５０が差し込まれ、ミラーの表面に接触する。この状態で光ピックアップ３０を往復運動させることにより、ミラー表面の塵埃等を除去することができる。【選択図】図１
2010073293.tif 000002
【特許請求の範囲】
【請求項１】
光ディスクを装着して回転駆動する回転駆動部と、
光源から出力されてミラーで反射されたレーザ光を対物レンズを介して前記光ディスクの信号記録面に照射すると共に、該信号記録面で反射された光を該対物レンズ及び該ミラーを介して光検出器で受信することによって該光ディスクの読み書きを行う光ピックアップと、
前記光ピックアップを、前記回転駆動部に装着された前記光ディスクの半径方向に平行移動させる送り機構と、
前記送り機構によって前記光ピックアップが前記光ディスクの読み書き範囲外に移動したときに、該光ピックアップの前記ミラーの表面に接触するように配置されたクリーニング部材と、を備える
ことを特徴とする光ディスク駆動装置。
【請求項２】
前記光ピックアップは、前記光源、前記ミラー、前記対物レンズ及び前記光検出器を収容するハウジングを有し、
前記送り機構によって駆動されて前記光ディスクの読み書き範囲外に移動したときに、前記ハウジングに設けられた開口部を通して前記クリーニング部材が前記ミラーの表面に接触するように構成される
ことを特徴とする請求項１に記載の光ディスク駆動装置。
【請求項３】
前記ミラーのクリーニングをするときに、前記送り機構は、前記光ディスクの読み書き範囲外において、該ミラーの表面が前記クリーニング部材と接触した状態で往復運動するように前記光ピックアップを駆動する
ことを特徴とする請求項１または２に記載の光ディスク駆動装置。
【請求項４】
前記ミラーのクリーニングは、前記対物レンズが前記光ディスクの信号記録面より外側に位置する時に行われる
ことを特徴とする請求項３に記載の光ディスク駆動装置。
【発明の詳細な説明】
【技術分野】
【０００１】
本発明は、光ディスクや光磁気ディスクに対して読み書きを行う光ディスク駆動装置、特に信号の読み書きを行う光ピックアップに使用されるミラーのクリーニング機構に関する。
【背景技術】
【０００２】
光ディスク駆動装置は、回転駆動部によって光学記録媒体である光ディスクを回転させながら、その信号記録面にレーザ光を照射してデータを書き込んだり、照射したレーザ光の反射を検出することにより記録されているデータの読み出しを行うものである。
【０００３】
光ディスクの読み書きを行う光ピックアップは、光源、光源から出力されるレーザ光を集光する対物レンズ、及び対物レンズの焦点が光ディスクの信号記録面に一致するように制御するアクチュエータ等をハウジング内に収容したものである。光ピックアップは、対物レンズが光ディスクの半径方向に移動するように、送り機構によって駆動されるようになっている。また、光ピックアップの小型化を図るため、光源と対物レンズの間に、光軸を直角に曲げるためのミラーを設けることが一般的である。
【０００４】
光ディスク駆動装置は、回転駆動部による光ディスクの回転と、送り機構による対物レンズの半径方向の移動により、光ディスクの信号記録面に対するデータの書き込みや読み出しができるようになっている。
【０００５】
このような光ディスク駆動装置では、読み書き対象の光ディスクを任意に交換することができる構造となっているため、光ディスクの交換時に内部に塵埃が入り込むだけでなく、光ディスクの交換時以外でも筐体の隙間から塵埃が入り易い。
【０００６】
光ディスク駆動装置の光学部品に塵埃が付着・堆積すると、光ディスクに対する信号の書き込みや、光ディスクからの信号の読み出しができなくなったり、内部の駆動機構が正常に動作しなくなったりするという問題が生ずる。
【０００７】
下記特許文献１には、光ピックアップの対物レンズ上の塵埃を除去するために、クリーニング部材が設けられたクリーニング用ディスクを用いるクリーニング方法が開示されている。このクリーニング方法では、まず、ディスクの内径側にクリーニング部材が設けられたクリーニング用ディスクを回転駆動部にセットする。次に、対物レンズがクリーニング部材に接触した状態で往復運動をするように、送り機構を駆動する。その後、対物レンズがクリーニング部材に接触しない位置（ディスクの外径側）に光ピックアップを移動させ、回転駆動部によってクリーニング用ディスクを回転させる。これにより、クリーニング用ディスクの回転で生じた風により、対物レンズ上に付着している塵埃を吹き飛ばして除去することができる。
【０００８】
下記特許文献２には、光ピックアップをアクチュエータを含む対物レンズ等の可動部分と光源やミラー等の固定部分に分離し、この固定部分の対物レンズ側に透光光学プレートを用いると共に、固定部分全体を密閉した構造の光ピックアップ装置が開示されている。これにより、光源やミラー等の光学部品への塵埃の付着・堆積を防止することができるとされている。
【０００９】
【特許文献１】特開平５−４７０２１号公報
【特許文献２】特開平１０−１９９００５号公報
【発明の開示】
【発明が解決しようとする課題】
【００１０】
しかしながら、前記特許文献１のクリーニング方法では、対物レンズ表面の塵埃を除去することはできるが、内部のミラーに付着した塵埃を除去することはできない。また、前記特許文献２の光ピックアップ装置では、密閉された光源やミラー等の固定部分の内部に塵埃が入り込むことはないが、対物レンズに対向する透光光学プレートの表面に塵埃が付着・堆積することは避けられない。透光光学プレートの表面に付着した塵埃は、特許文献１のクリーニング方法を用いても除去することはできず、結局は分解掃除が必要になるという課題があった。
【００１１】
本発明は、分解掃除を必要とせずに、ミラーに付着・堆積した塵埃を簡単に除去することができるクリーニング機構を備えた光ディスク駆動装置を提供することを目的としている。
【課題を解決するための手段】
【００１２】
上記目的を達成するために、本発明に係る光ディスク駆動装置は、光ディスクを装着して回転駆動する回転駆動部と、光源から出力されてミラーで反射されたレーザ光を対物レンズを介して前記光ディスクの信号記録面に照射すると共に、該信号記録面で反射された光を該対物レンズ及び該ミラーを介して光検出器で受信することによって該光ディスクの読み書きを行う光ピックアップと、前記光ピックアップを、前記回転駆動部に装着された前記光ディスクの半径方向に平行移動させる送り機構と、前記送り機構によって前記光ピックアップが前記光ディスクの読み書き範囲外に移動したときに、該光ピックアップの前記ミラーの表面に接触するように配置されたクリーニング部材とを備えることを特徴とする。
【００１３】
前記光ピックアップは、前記光源、前記ミラー、前記対物レンズ及び前記光検出器を収容するハウジングを有し、前記送り機構によって駆動されて前記光ディスクの読み書き範囲外に移動したときに、前記ハウジングに設けられた開口部を通して前記クリーニング部材が前記ミラーの表面に接触するように構成することができる。
【００１４】
また、前記ミラーのクリーニングをするときに、前記送り機構は、前記光ディスクの読み書き範囲外において、該ミラーの表面が前記クリーニング部材と接触した状態で往復運動するように前記光ピックアップを駆動するように構成することができる。
【００１５】
更に、前記ミラーのクリーニングは、前記対物レンズが前記光ディスクの信号記録面より外側に位置する時に行うように構成することができる。
【発明の効果】
【００１６】
本発明によれば、送り機構によって光ピックアップが光ディスクの読み書き範囲外に移動したときに、この光ピックアップのミラーの表面に接触するように配置されたクリーニング部材を備えている。これにより、例えば光ディスクの読み取りエラーが多発した場合に、自動的またはマニュアル操作により、光ピックアップを光ディスクの読み書き範囲外に移動させることにより、ミラーの表面をクリーニング部材に接触させることができ、このミラーの表面に付着・堆積した塵埃等を除去することが可能になる。
【発明を実施するための最良の形態】
【００１７】
以下、図面に基づき、本発明の実施形態について詳細に説明する。
図１に示すように、本発明の光ディスク駆動装置は、シャーシ１０の内部に固定されて読み書き対象の光ディスク１を回転駆動する回転駆動部２０と、この光ディスク１の信号記録面にレーザ光を照射してデータの読み書きを行う光ピックアップ３０と、この光ピックアップ３０を光ディスク１の半径方向に移動させる送り機構４０と、この光ピックアップ３０のクリーニングを行うためのクリーニング部材５０を備えている。
【００１８】
回転駆動部２０は、ディスク回転用のスピンドルモータ２１、ディスクを搭載するためのターンテーブル２２、及びディスクを固定するためのチャック２３で構成されている。回転駆動部２０は、光ディスク１をターンテーブル２２に載せ、この光ディスク１の中心部に形成された円形の位置決め孔をチャック２３で固定し、スピンドルモータ２１を回転させることにより、光ディスク１を回転駆動するようになっている。
【００１９】
光ピックアップ３０は、図２に内部の詳細構造を示すように、ホログラムレーザ３１、ミラー３２、対物レンズ３３、アクチュエータ３４等を有している。ホログラムレーザ３１は、光源であるレーザダイオード等と光検出器であるフォトダイオード等を一体化したものである。ミラー３２は、反射によってホログラムレーザ３１の水平方向（図のｙ方向）の光軸を、垂直方向（図のｚ方向）に屈折させるものである。
【００２０】
対物レンズ３３は、ミラー３２で反射されたレーザ光を、信号記録面の所定の位置に集光して照射するためのものである。また、対物レンズ３３は、信号記録面の所定の位置で反射された光を集光してホログラムレーザ３１に与える機能も有している。
【００２１】
アクチュエータ３４は、対物レンズ３３を光ディスク１の半径方向（図のｘ方向）及び上下方向（図のｚ方向）に駆動することにより、この対物レンズ３３の焦点を光ディスク１の信号記録面の所定の位置に合わせるものである。
【００２２】
ホログラムレーザ３１、ミラー３２、対物レンズ３３、及びアクチュエータ３４は、ハウジング３５内に収容されており、図１に示すように、このハウジング３５の上蓋に形成された開口部３５ａから対物レンズ３３が突出するようになっている。
【００２３】
また、ハウジング３５には、送り機構４０に係合して光ディスク１の半径方向に平行移動するためのスライドアーム３６と駆動力伝達部３７が設けられている。また、ホログラムレーザ３１とアクチュエータ３４を制御する制御線は、ハウジング３５に固定されたコネクタ３８に接続され、図示しないフラットケーブルを介して制御部に接続されるようになっている。
【００２４】
更に、ハウジング３５には、送り機構４０によって光ディスク１の半径方向に駆動されて、対物レンズ３３が光ディスク１の読み書き範囲外の位置に移動したときに、クリーニング部材５０がミラー３２の表面に接触する位置に挿入されるように、開口部３５ｂが形成されている。
【００２５】
送り機構４０は、光ピックアップ３０を光ディスク１の半径方向に平行にガイドするガイドシャフト４１、及びガイドシャフト４１に沿って光ピックアップ３０を往復運動させるための駆動モータ４２とこれに接続された駆動ギア４３を有している。そして、光ピックアップ３０のハウジング３５に設けられた駆動力伝達部３７が駆動ギア４３に係合され、駆動モータ４２の回転によって、スライドアーム３６がガイドシャフト４１に沿って摺動するようになっている。
【００２６】
クリーニング部材５０は、ピン５１の先端に、ミラー３２の表面に付着した塵埃等を取り除くためのクリーニングパッド５２が取り付けられたものである。このクリーニング部材５０は、シャーシ１０の端部に固定され、光ピックアップ３０が送り機構４０によって光ディスク１の読み取り範囲外（例えば、光ディスク１の外周の外側）に搬送されてきたときに、ハウジング３５の開口部３５ｂから差し込まれ、クリーニングパッド５２とミラー３２が接触するようになっている。
【００２７】
次に動作を説明する。
図３に示すように、通常の読み書き動作時には、光ピックアップ３０は対物レンズ３３が読み書き対象の光ディスク１の外周部よりも内側に位置するように送り機構４０によってその位置が制御される。
【００２８】
光ディスク１は、チャック２３によってターンテーブル２２上に固定され、スピンドルモータ２１によってターンテーブル２２と共に一定方向に回転駆動される。光ピックアップ３０のホログラムレーザ３１のレーザダイオードから出力されるレーザ光は、ミラー３２と対物レンズ３３を通して光ディスク１の信号記録面に照射される。信号記録面で反射したレーザ光は、再び対物レンズ３３とミラー３２を通してホログラムレーザ３１に戻され、このホログラムレーザ３１のフォトダイオードで検出される。このとき、レーザ光が信号記録面の信号トラックに集中して照射されるように、フォトダイオードの検出信号に基づいてアクチュエータ３４が動作し、対物レンズ３３の位置がトラッキング制御される。
【００２９】
光ディスク１の回転駆動と同時に、光ピックアップ３０も送り機構４０により、この光ディスク１の中心から外周に向けて半径方向に直線駆動される。これらの回転駆動と直線駆動により、光ディスク１の信号記録面には、ほぼ同心円状をなして螺旋状に形成された信号トラックに沿って情報が書き込まれると共に、書き込まれた情報が読み出される。
【００３０】
光ピックアップ３０の対物レンズ３３が光ディスク１の外周部よりも内側に位置して、この光ディスク１に対する読み書きを行っているとき、図３に示すように、クリーニング部材５０は光ピックアップ３０から離れた位置にある。従って、クリーニング部材５０が、光ディスク１の読み書き動作へ影響を与えることはない。
【００３１】
次に、読み出したデータに誤りが多発したり、データの読み出しができなくなったりした場合、その状態を検出した図示しない制御部は送り機構４０を駆動して、光ピックアップ３０を、図３に示すように、光ディスク１の外周部よりも外側のクリーニング位置へ移動する。
【００３２】
これにより、シャーシ１０に固定されたクリーニング部材５０が、光ピックアップ３０のハウジング３５に設けられた開口部３５ｂから挿入され、ミラー３２の表面にクリーニングパッド５２が接触する。更に、ミラー３２の表面にクリーニングパッド５２が接触した状態で、送り機構４０は光ピックアップ３０を光ディスク１の半径方向に往復運動をさせる。これにより、ミラー３２の表面に付着した塵埃等は、クリーニングパッド５２で拭き取られて除去される。
【００３３】
以上詳細に説明したように、本実施形態の光ディスク駆動装置は、光ピックアップ３０を、回転駆動部２０に装着された光ディスク１の外周部よりも外側へ平行移動させることができる送り機構４０と、この送り機構４０によって光ピックアップ３０が光ディスク１の読み書き範囲外に移動したときに、この光ピックアップ３０のミラー３２の表面に接触するように配置されたクリーニング部材５０を備えている。従って、本発明は、分解掃除を必要とせずに、ミラー３２に付着・堆積した塵埃を簡単に除去することができるという利点がある。
【００３４】
なお、本発明は、上記実施形態に限定されるものではなく、次のような種々の変形が可能である。
（ａ）  クリーニング部材５０の形状は、図示したものに限定されない。ミラー３２の表面に接触して、効果的に塵埃を除去することができるものであればよい。
（ｂ）  光ピックアップ３０や送り機構４０の方式や形状は、例示したものに限定されない。即ち、光ピックアップを通常の読み書き範囲よりも外側へ移動させることができる送り機構と、その送り機構によって外側へ移動されたときに、光ピックアップのミラーの表面がクリーニング部材に接触する構造であればよい。
（ｃ）  クリーニングパッド５２は、汚れたときに交換できるように、交換可能な構造にすることができる。
（ｄ）  読み書きの異常を検出して自動的にクリーニング動作を行うほか、マニュアル操作によって随時クリーニング動作を行うことができるように構成しても良い。
【図面の簡単な説明】
【００３５】
【図１】本発明の実施形態を示す光ディスク駆動装置の斜視図である。
【図２】図１中の光ピックアップの詳細図である。
【図３】図１によるクリーニング動作の説明図である。
【符号の説明】
【００３６】
１    光ディスク
１０    シャーシ
２０    回転駆動部
３０    光ピックアップ
３１    ホログラムレーザ
３２    ミラー
３３    対物レンズ
３４    アクチュエータ
３５    ハウジング
３５ａ，３５ｂ    開口部
３６    スライドアーム
３７    駆動力伝達部
３８    コネクタ
４０    送り機構
４１    ガイドシャフト
４２    駆動モータ
４３    駆動ギア
５０    クリーニング部材
５１    ピン
５２    クリーニングパッド
【図１】
2010073293.tif 000003
【図２】
2010073293.tif 000004
【図３】
2010073293.tif 000005